(57)【要約】  スクリューを骨に対して所望の角度で締結できるようにする。  骨プレートは、骨と反対側の上面と、骨側の下面と、前記上面と前記下面とを接続し、スクリューを挿入するための１つ以上の第１の孔とを有する。前記第１の孔は、前記上面側の上側内周面と、前記下面側の下側内周面とを有する。前記上側内周面の内径は、前記下面に向かって狭まっている。前記下側内周面の内径は、前記下面に向かって広がっている。前記下側内周面は、前記第１の孔の中心軸に対して第１の角度で傾斜して向かい合う１つ以上の第１の領域と、前記中心軸に対して第２の角度で傾斜して向かい合う１つ以上の第２の領域とを含む。
2017138073.tif 000002
【特許請求の範囲】
【請求項１】
骨と反対側の上面と、
骨側の下面と、
前記上面と前記下面とを接続し、スクリューを挿入するための１つ以上の第１の孔とを有し、
前記第１の孔は、前記上面側の上側内周面と、前記下面側の下側内周面とを有し、前記上側内周面の内径は、前記下面に向かって狭まり、前記下側内周面の内径は、前記下面に向かって広がり、前記下側内周面は、前記第１の孔の中心軸に対して第１の角度で傾斜して向かい合う１つ以上の第１の領域と、前記中心軸に対して第２の角度で傾斜して向かい合う１つ以上の第２の領域とを含む
骨プレート。
【請求項２】
請求項１に記載の骨プレートであって、
前記スクリューは、雄ねじ山が形成された頭部及び軸部を有し、
前記下側内周面の雌ねじ山は、予め形成されておらず、前記スクリューが前記第１の孔に挿入された後、前記頭部の回転によって形成される
骨プレート。
【請求項３】
請求項１に記載の骨プレートであって、
前記下側内周面は、前記中心軸を挟んで向かい合う１組の前記第１の領域と、前記中心軸を挟んで向かい合う１組の前記第２の領域とを含む
骨プレート。
【請求項４】
請求項３に記載の骨プレートであって、
前記１組の第１の領域は、前記骨プレートの長手方向に沿って配置され、
前記１組の第２の領域は、前記長手方向と交差する方向に沿って配置される
骨プレート。
【請求項５】
請求項４に記載の骨プレートであって、
前記第１の角度は、前記第２の角度よりも大きい
骨プレート。
【請求項６】
請求項３に記載の骨プレートであって、
前記骨プレートの長手方向に間隔を空けて配置される複数の前記第１の孔を有し、
少なくとも１つの前記第１の孔は、前記１組の第１の領域が前記長手方向に沿って配置され、前記１組の第２の領域が、前記長手方向と交差する方向に沿って配置される
骨プレート。
【請求項７】
請求項１に記載の骨プレートであって、
前記上面と前記下面とを接続し、前記スクリューを挿入するための１つ以上の第２の孔を有し、
前記第２の孔は、前記上面側の上側内周面と、前記下面側の下側内周面とを有し、前記上側内周面の内径は、前記下面に向かって狭まり、前記下側内周面の所定方向の内径は、前記下面に向かって広がり、前記下側内周面は、前記第２の孔の中心軸に対して第１の角度で傾斜して向かい合う１つ以上の第１の領域と、前記中心軸に対して平行に向かい合う１つ以上の第２の領域とを含む
骨プレート。
【請求項８】
請求項１に記載の骨プレートと、
前記スクリューとを有し、
前記スクリューは、雄ねじ山が形成された頭部及び軸部を有し、
前記下側内周面の雌ねじ山は、予め形成されておらず、前記スクリューが前記第１の孔に挿入された後、前記頭部の回転によって形成される
骨プレートシステム。
【発明の詳細な説明】
【技術分野】
【０００１】
本発明は、骨プレート、及び骨プレートシステムに関する。
【背景技術】
【０００２】
頭部に雄ねじ山が形成されたスクリューを使って骨に対して固定される骨プレートが知られている。例えば、特許文献１には、固定穴を有する骨プレートが記載されている。当該固定穴は、スクリューの頭部の雄ねじ山と係合するように形成された雌ねじ山を有している。
【先行技術文献】
【特許文献】
【０００３】
【特許文献１】特表２０１５−５１１８５９
【発明の概要】
【発明が解決しようとする課題】
【０００４】
特許文献１の骨プレートの固定穴には、雌ねじ山が予め形成されている。従って、固定穴に締結されるスクリューの軸方向は、固定穴の中心軸方向によって定められる。しかしながら、スクリューの骨に対する角度は、骨の表面形状や骨の強度等を考慮して適切に決定される必要がある。特許文献１の骨プレートでは、術者が骨プレートを変形させたり固定穴を加工したりしなければ、スクリューを所望の角度で骨に締結することが難しい。【０００５】
本発明の目的は、スクリューを骨に対して所望の角度で締結することができる骨プレート及び骨プレートシステムを提供することである。
【課題を解決するための手段】
【０００６】
上記の課題を解決する本発明の一態様は、骨プレートであって、骨と反対側の上面と、骨側の下面と、前記上面と前記下面とを接続し、スクリューを挿入するための１つ以上の第１の孔とを有し、前記第１の孔は、前記上面側の上側内周面と、前記下面側の下側内周面とを有し、前記上側内周面の内径は、前記下面に向かって狭まり、前記下側内周面の内径は、前記下面に向かって広がり、前記下側内周面は、前記第１の孔の中心軸に対して第１の角度で傾斜して向かい合う１つ以上の第１の領域と、前記中心軸に対して第２の角度で傾斜して向かい合う１つ以上の第２の領域とを含む。【０００７】
上記の骨プレートにおいて、前記スクリューは、雄ねじ山が形成された頭部及び軸部を有し、前記下側内周面の雌ねじ山は、予め形成されておらず、前記スクリューが前記第１の孔に挿入された後、前記頭部の回転によって形成されてもよい。【０００８】
上記の骨プレートにおいて、前記下側内周面は、前記中心軸を挟んで向かい合う１組の前記第１の領域と、前記中心軸を挟んで向かい合う１組の前記第２の領域とを含んでもよい。【０００９】
上記の骨プレートにおいて、前記１組の第１の領域は、前記骨プレートの長手方向に沿って配置され、前記１組の第２の領域は、前記長手方向と交差する方向に沿って配置されてもよい。【００１０】
上記の骨プレートにおいて、前記第１の角度は、前記第２の角度よりも大きくてもよい。【００１１】
上記の骨プレートにおいて、前記骨プレートの長手方向に間隔を空けて配置される複数の前記第１の孔を有し、少なくとも１つの前記第１の孔は、前記１組の第１の領域が前記長手方向に沿って配置され、前記１組の第２の領域が、前記長手方向と交差する方向に沿って配置されてもよい。【００１２】
上記の骨プレートにおいて、前記上面と前記下面とを接続し、前記スクリューを挿入するための１つ以上の第２の孔を有し、前記第２の孔は、前記上面側の上側内周面と、前記下面側の下側内周面とを有し、前記上側内周面の内径は、前記下面に向かって狭まり、前記下側内周面の所定方向の内径は、前記下面に向かって広がり、前記下側内周面は、前記第２の孔の中心軸に対して第１の角度で傾斜して向かい合う１つ以上の第１の領域と、前記中心軸に対して平行に向かい合う１つ以上の第２の領域とを含んでもよい。【００１３】
上記の課題を解決する本発明の他の態様は、骨プレートシステムであって、上記の骨プレートと、前記スクリューとを有し、前記スクリューは、雄ねじ山が形成された頭部及び軸部を有し、前記下側内周面の雌ねじ山は、予め形成されておらず、前記スクリューが前記第１の孔に挿入された後、前記頭部の回転によって形成される。
【発明の効果】
【００１４】
本発明によれば、スクリューを骨に対して所望の角度で締結することができる。
【図面の簡単な説明】
【００１５】
【図１】本発明の一実施形態に係る骨プレートシステムの斜視図である。
【図２】骨プレートシステムの長手方向の側面図である。
【図３】骨プレートシステムの幅方向の側面図であり、（Ａ）中央のスクリューを表した図、（Ｂ）端部のスクリューを表した図である。
【図４】スクリューの側面図である。
【図５】骨プレートの上面側の斜視図である。
【図６】骨プレートの下面側の斜視図である。
【図７】骨プレートの平面図である。
【図８】骨プレートの底面図である。
【図９】骨プレートの長手方向の側面図である。
【図１０】骨プレートの幅方向の側面図である。
【図１１】骨プレートの部分拡大図（図５のＦ）である。
【図１２】骨プレートの部分拡大図（図６のＧ）である。
【図１３】骨プレートの長手方向の断面図（図７のＡ−Ａ）である。
【図１４】骨プレートの部分的な拡大断面図（図１３のＥ）であり、（Ａ）スクリューが挿入される前、（Ｂ）スクリューが真っすぐ締結された状態、（Ｃ）スクリューが斜めに締結された状態、をそれぞれ示す図である。
【図１５】骨プレートの部分的な拡大断面図（図７のＣ−Ｃ）であり、（Ａ）スクリューが挿入される前、（Ｂ）スクリューが真っすぐ締結された状態、（Ｃ）スクリューが斜めに締結された状態、をそれぞれ示す図である。
【図１６】骨プレートの部分的な拡大断面図（図１３のＤ）である。
【図１７】骨プレートの拡大断面図（図７のＢ−Ｂ）である。
【図１８】治具の概略構成を示す側面図であり、（Ａ）治具の内部構成、（Ｂ）治具が真っすぐセットされた状態、（Ｃ）治具が斜めにセットされた状態、（Ｄ）治具が斜めにセットされた状態、をそれぞれ示す図である。
【発明を実施するための形態】
【００１６】
以下、本発明の一実施形態について、図面を参照しながら説明する。
【００１７】
図１は、本発明の一実施形態に係る骨プレートシステムの斜視図である。図２は、骨プレートシステムの長手方向の側面図である。図３は、骨プレートシステムの幅方向の側面図であり、（Ａ）中央のスクリューを表した図、（Ｂ）端部のスクリューを表した図である。図１〜３は、骨プレート１に複数のスクリュー２（２ａ〜ｉ）を締結した例を示している。図３（Ａ）は、３つのスクリュー２ｃ、２ｄ、２ｅを、２ｅ側から見た図である。図３（Ｂ）は、２つのスクリュー２ｈ、２ｉを見た図である。図４は、スクリューの側面図である。図４は、スクリュー２を拡大している。
【００１８】
図５は、骨プレートの上面側の斜視図である。図６は、骨プレート下面側の斜視図である。図７は、骨プレートの平面図である。図８は、骨プレートの底面図である。図９は、骨プレートの長手方向の側面図である。図１０は、骨プレートの幅方向の側面図である。なお、骨プレートの長手方向の両側面は、同一の形状である。また、骨プレートの幅方向の両側面は、同一の形状である。
【００１９】
骨プレートシステムは、骨プレート１と、１つ以上のスクリュー２とを含む。骨プレート１は、全体として長い平板状に形成されている。また、骨プレート１は、幅方向の側面から見た場合に、骨プレート１の下面（図２の下側の面）が骨の表面形状に沿うように、円弧状に湾曲して形成されている。一例としては、骨プレートシステムは、犬や猫などの小動物の骨の接合や補強に用いられる。例えば、骨プレート１の長手方向の寸法は約１００ｍｍ、骨プレート１の幅方向の寸法は約１０ｍｍ、骨プレート１の厚さ方向の寸法は約２．５ｍｍとすることができる。骨プレート１の材質は、例えば、チタン合金等の金属、樹脂等である。
【００２０】
骨プレート１は、中央部３と、その両端の端部４とを含む。端部４の最大の幅寸法は、中央部３の最大の幅寸法よりも大きい。
【００２１】
骨プレート１の中央部３には、長手方向に１列に間隔を空けて複数の孔５（図では１７個）が形成されている。中央部３の幅寸法は、孔５の中心で最大となり、隣り合う孔５の中間位置で最小となるように、繰り返し変化する。また、中央部３の幅寸法は、端部４との接続位置で最小となる。中央部３の厚み寸法は、孔５の中心で最大となり、隣り合う孔５の中間位置で最小となるように、繰り返し変化する。この骨プレート１の下面の形状は、平らな場合と比べて、骨の表面に対する接触面積を少なくすることができる。
【００２２】
骨プレート１の端部４には、中央部３に近い側に孔６が形成されている。また、端部４には、中央部３から遠い側に、幅方向に間隔を空けて２つの孔７が形成されている。端部４の幅寸法は、中央部３との接続位置で最小となり、２つの孔７の中心で最大となるように、広がっている。
【００２３】
スクリュー２は、頭部２１と軸部２２とを含む。頭部２１の下部には、雄ねじ山２３が形成されている。軸部２２には、雄ねじ山２４が形成されている。このスクリュー２は、ロッキング・スクリューと呼ぶこともできる。頭部２１の外径は、軸部２２の外径よりも大きい。また、軸部２２の外径は、孔５〜７それぞれの内径（最小の内径）よりも小さい。また、頭部２１の外径は、孔５〜７それぞれの内径（最小の内径）よりも大きい。スクリュー２の回転により、頭部２１の雄ねじ山２３によって孔５〜７の内壁が削られ（孔５〜７にタップ加工が施され）、スクリュー２の頭部２１が孔５〜７に対して固定される。
【００２４】
孔５は、骨プレート１の上面（図２の上側の面）と骨プレート１の下面（図２の下側の面）とを接続する。孔５の中心軸は、骨プレート１の上下面と略直交する。孔５は、全体として概ね円筒状である。孔５は、雌ねじ山が予め形成されておらず（タップ加工されておらず）、スクリュー２の頭部２１の雄ねじ山２３によって雌ねじ山が切られる。孔５には、スクリュー２を様々な角度で締結することができる。例えば図１〜３に示すように、孔５ｅには、スクリュー２ｅの軸が孔５ｅの中心軸と一致するように、スクリュー２ｅが締結されている。孔５ｄには、スクリュー２ｄの軸が孔５ｄの中心軸に対して骨プレート１の幅方向に傾斜するように、スクリュー２ｄが締結されている。孔５ｆには、スクリュー２ｆの軸が孔５ｆの中心軸に対して骨プレート１の長手方向に傾斜するように、スクリュー２ｆが締結されている。このような機能を達成する孔５の構造は、後に詳述する。
【００２５】
孔６は、骨プレート１の上面と骨プレート１の下面とを接続する。孔６は、全体として概ね円筒状である。孔６の中心軸は、骨プレート１の上下面と略直交する。孔６は、雌ねじ山が予め形成されておらず（タップ加工されておらず）、スクリュー２の頭部２１の雄ねじ山２３によって雌ねじ山が切られる。孔６には、スクリュー２を所定の角度で締結することができる。例えば、孔６には、スクリュー２の軸が孔６の中心軸と一致するように、スクリュー２が締結される。このような機能を達成する孔６の構造は、後に詳述する。
【００２６】
孔７は、骨プレート１の上面と骨プレート１の下面とを接続する。孔７の中心軸は、骨プレート１の上下面と略直交する。孔７は、全体として概ね円筒状である。孔７は、雌ねじ山が予め形成されておらず（タップ加工されておらず）、スクリュー２の頭部２１の雄ねじ山２３によって雌ねじ山が切られる。孔７には、スクリュー２を様々な角度で締結することができる。例えば図１〜３に示すように、孔７ｈには、スクリュー２ｈの軸が孔７ｈの中心軸と一致するように、スクリュー２ｈが締結されている。孔７ａには、スクリュー２ａの軸が孔７ａの中心軸に対して骨プレート１の長手方向に傾斜するように、スクリュー２ａが締結されている。このような機能を達成する孔７の構造は、後に詳述する。
【００２７】
図１１は、骨プレートの部分拡大図（図５のＦ）である。図１２は、骨プレートの部分拡大図（図６のＧ）である。図１３は、骨プレートの長手方向の断面図（図７のＡ−Ａ）である。図１４は、骨プレートの部分的な拡大断面図（図１３のＥ）であり、（Ａ）スクリューが挿入される前、（Ｂ）スクリューが真っすぐ締結された状態、（Ｃ）スクリューが斜めに締結された状態、をそれぞれ示す図である。図１５は、骨プレートの部分的な拡大断面図（図７のＣ−Ｃ）であり、（Ａ）スクリューが挿入される前、（Ｂ）スクリューが真っすぐ締結された状態、（Ｃ）スクリューが斜めに締結された状態、をそれぞれ示す図である。図１６は、骨プレートの部分的な拡大断面図（図１３のＤ）である。図１７は、骨プレートの拡大断面図（図７のＢ−Ｂ）である。なお、図１４及び図１５において、黒塗り部分は、スクリュー２と孔５が係合している領域の断面を示している。
【００２８】
図１１及び図１２に示すように、孔５は、骨プレート１の上面側の上側内周面５１と、骨プレート１の下面側の下側内周面５２とを有する。上側内周面５１は、スクリュー２の頭部２１の上部の形状に沿うように形成されている。上側内周面５１は、その内径が下面に向かって狭まるように、円錐面から形成されている。下側内周面５２は、その内径が全体として下面に向かって広がるように、複数の円錐面を含んで形成されている。下側内周面５２は、孔５の中心軸に対して第１の角度（０度より大きい）で傾斜して向かい合う第１の領域５３を含む。下側内周面５２は、孔５の中心軸に対して第２の角度（０度より大きい）で傾斜して向かい合う第２の領域５４を含む。下側内周面５２には、孔５の中心軸を挟んで向かい合う１組の第１の領域５３が、骨プレート１の長手方向に沿って形成されている。また、下側内周面５２には、孔５の中心軸を挟んで向かい合う１組の第２の領域５４が、骨プレート１の幅方向に沿って形成されている。第２の領域５４の上側には、孔５の中心軸に対して平行に向かい合う第３の領域５５が、骨プレート１の幅方向に沿って形成されている。
【００２９】
このような孔５には、スクリュー２の軸が孔５の中心軸と一致するように、スクリュー２を締結することができる。また、孔５には、スクリュー２の軸が孔５の中心軸に対して骨プレート１の長手方向又は幅方向に傾斜するように、スクリュー２を締結することができる。
【００３０】
図１４（Ａ）に示すように、第１の領域５３は、孔５の中心軸Ｚ１に対して第１の角度（図では１５度）の角度で向かい合っている。図１４（Ｂ）は、スクリュー２の軸ｚ１が中心軸Ｚ１と一致するように、スクリュー２が孔５に締結された場合を示している。この場合、頭部２１の雄ねじ山２３の全周囲は、第１の領域５３及び第２の領域５４に形成された雌ねじ山に係合する。頭部２１の上部の外周面は、上側内周面５１に接し、スクリュー２の締め込みの反力を受けている。図１４（Ｃ）は、スクリュー２の軸ｚ１が中心軸Ｚ１に対して骨プレート１の長手方向（第１の領域５３の方向）に第１の角度（図では１５度）傾斜するように、スクリュー２が孔５に締結された場合を示している。この場合、頭部２１の雄ねじ山２３の周囲の少なくとも一部は、第１の領域５３及び第２の領域５４に形成された雌ねじ山に係合する。図１４（Ｃ）では、頭部２１の雄ねじ山２３は、傾斜方向に対応する第１の領域５３と、１組の第２の領域５４とに係合している。頭部２１の上部の外周面は、上側内周面５１に接し、スクリュー２の締め込みの反力を受けている。
【００３１】
図１５（Ａ）に示すように、第２の領域５４は、孔５の中心軸Ｚ１に対して第２の角度（図では６度）の角度で向かい合っている。図１５（Ｂ）は、スクリュー２の軸ｚ１が中心軸Ｚ１と一致するように、スクリュー２が孔５に締結された場合を示している。この場合、頭部２１の雄ねじ山２３の全周囲は、第１の領域５３及び第２の領域５４に形成された雌ねじ山に係合する。頭部２１の上部の外周面は、上側内周面５１に接し、スクリュー２の締め込みの反力を受けている。図１５（Ｃ）は、スクリュー２の軸ｚ１が中心軸Ｚ１に対して骨プレート１の幅方向（第２の領域５４の方向）に第２の角度（図では６度）傾斜するように、スクリュー２が孔５に締結された場合を示している。この場合、頭部２１の雄ねじ山２３の周囲の少なくとも一部は、第１の領域５３及び第２の領域５４に形成された雌ねじ山に係合する。図１５（Ｃ）では、頭部２１の雄ねじ山２３の全周囲は、第１の領域５３及び第２の領域５４に形成された雌ねじ山に係合している。頭部２１の上部の外周面は、上側内周面５１に接し、スクリュー２の締め込みの反力を受けている。
【００３２】
向かい合う２つの第１の領域５３は、例えば、ドリルを使って中心軸Ｚ１に沿って孔を空け、中心軸Ｚ１に沿ってボールエンドミル等を使って上側内周面５１を削り出した後、中心軸Ｚ１に対して長手方向の両方向にそれぞれ第１の角度（図では１５度）だけ傾斜した軸Ｚ２及び軸Ｚ３に沿ってボールエンドミル等を使って削り出すことにより、形成することができる。
【００３３】
向かい合う２つの第２の領域５４は、例えば、ドリルを使って中心軸Ｚ１に沿って孔を空け、中心軸Ｚ１に沿ってボールエンドミル等を使って上側内周面５１を削り出した後、中心軸Ｚ１に対して幅方向の両方向にそれぞれ第２の角度（図では６度）だけ傾斜した軸Ｚ４及び軸Ｚ５に沿ってボールエンドミル等を使って削り出すことにより、形成することができる。第３の領域５５は、中心軸Ｚ１に沿って孔が空けられたときに形成される。
【００３４】
図１６に示すように、孔６は、骨プレート１の上面側の上側内周面６１と、骨プレート１の下面側の下側内周面６２とを有する。上側内周面６１は、スクリュー２の頭部２１の上部の形状に沿うように形成されている。上側内周面６１は、その内径が下面に向かって狭まるように、円錐面から形成されている。下側内周面６２の内径は、均一に形成されている。すなわち、下側内周面６２のいずれの領域も、孔６の中心軸に対して平行に向かい合っている。
【００３５】
このような孔６には、スクリュー２の軸が孔６の中心軸と一致するように、スクリュー２を締結することができる。
【００３６】
図３（Ｂ）、図１０、及び図１７に示すように、端部４は、２つの孔７の中心軸Ｚ６が同一円の中心Ｃで交差するように、円弧状に湾曲している。各孔７の傾き角度（円弧中央に直交する軸Ｚ７と中心軸Ｚ６の差）は、スクリュー２の軸が中心軸Ｚ６と一致するように、スクリュー２が孔７に締結された場合に、隣の孔７に同様に締結されたスクリュー２と干渉しないように設定されている。
【００３７】
孔７は、孔５の第２の領域５４に相当する領域を有さないが、他は孔５と同様に形成されている。孔７は、骨プレート１の上面側の上側内周面７１と、骨プレート１の下面側の下側内周面７２とを有する。上側内周面７１は、スクリュー２の頭部２１の上部の形状に沿うように形成されている。上側内周面７１は、その内径が下面に向かって狭まるように、円錐面から形成されている。下側内周面７２は、骨プレート１の長手方向の内径が全体として下面に向かって広がるように、複数の円錐面を含んで形成されている。下側内周面７２は、孔７の中心軸に対して第１の角度（０度より大きい、図では１５度）で傾斜して向かい合う第１の領域７３を含む。下側内周面７２は、孔７の中心軸に対して平行に向かい合う第２の領域７４を含む。下側内周面７２には、孔７の中心軸を挟んで向かい合う１組の第１の領域７３が、骨プレート１の長手方向に沿って形成されている。また、下側内周面７２には、孔７の中心軸を挟んで向かい合う１組の第２の領域７４が、骨プレート１の幅方向に沿って形成されている。
【００３８】
このような孔７には、スクリュー２の軸が孔７の中心軸と一致するように、スクリュー２を締結することができる。また、孔７には、スクリュー２の軸が孔７の中心軸に対して骨プレート１の長手方向に傾斜するように、スクリュー２を締結することができる。
【００３９】
上記のような骨プレートシステムの使用方法の一例について説明する。ここでは、孔５について説明するが、孔６、孔７についても同様である。
【００４０】
まず、術者は、骨プレート１の下面を骨の対象箇所に当て、骨の表面形状や骨の強度等を考慮して、孔５に対するスクリュー２の角度を決定する。
【００４１】
本実施形態では、治具を使うことによりスクリュー２の角度を決定する。図１８は、治具の概略構成を示す側面図であり、（Ａ）治具の内部構成、（Ｂ）治具が真っすぐセットされた状態、（Ｃ）治具が斜めにセットされた状態、（Ｄ）治具が斜めにセットされた状態、をそれぞれ示す図である。図１８（Ｂ）及び（Ｃ）は、骨プレート１の長手方向の部分的な断面図を示している。図１８（Ｄ）は、骨プレート１の幅方向の部分的な断面図を示している。
【００４２】
図１８（Ａ）に示すように、治具９は、全体として概ね円筒状であり、ドリル（例えばスクリュー２の軸部２２と同じ外径）を上下方向に通すためのガイド孔９１を内部に有する。また、治具９は、孔５に当接させるための先端部９２を有する。先端部９２は、孔５の上側内周面５１に当接させるための上側当接部９３と、孔５の下側内周面５２に当接させるための下側当接部９４とを含む。上側当接部９３は、上側内周面５１に沿って滑らかに回転動作するように球面に形成されている。上側当接部９３の外径（最大の外径）は、孔５の内径（最小の内径）よりも大きい。下側当接部９４は、円筒状に形成されている。下側当接部９４の外径は、孔５の内径（最小の内径）よりも小さい。
【００４３】
図１８（Ｂ）は、治具９の軸ｚ２が中心軸Ｚ１と一致するように、治具９が孔５にセットされた場合を示している。図１８（Ｃ）は、治具９の軸ｚ２が中心軸Ｚ１に対して骨プレート１の長手方向に第１の角度（図では１５度）傾斜するように、治具９が孔５にセットされた場合を示している。治具９の骨プレート１の長手方向の傾斜角度は、下側当接部９４の外周面が第１の領域５３に当たることで、最大で第１の角度に制限される。これにより、ガイド孔９１の長手方向の傾斜角度も、最大で第１の角度に制限される。図１８（Ｄ）は、治具９の軸ｚ２が中心軸Ｚ１に対して骨プレート１の幅方向に第２の角度（図では６度）傾斜するように、治具９が孔５にセットされた場合を示している。治具９の骨プレート１の幅方向の傾斜角度は、下側当接部９４の外周面が第２の領域５４に当たることで、最大で第２の角度に制限される。これにより、ガイド孔９１の幅方向の傾斜角度も、最大で第２の角度に制限される。
【００４４】
術者は、治具９を使うことにより、ガイド孔９１の角度（ドリル及びスクリュー２の角度でもある）を決定する。術者は、締結するスクリュー２の骨プレート１の幅方向及び長手方向の角度を決定することができる。
【００４５】
次に、術者は、角度を決めた治具９のガイド孔９１にドリルを挿入し、スクリュー２の軸部２２を締結するための下穴を、骨に開ける。下穴には、雌ねじ山が形成されていてもよい。
【００４６】
最後に、術者は、スクリュー２の先端を、孔５を通じて下穴に挿入し、スクリュードライバーを使ってスクリュー２を締める。軸部２２の雄ねじ山２４は、下穴に係合する。さらにスクリュー２を締めると、頭部２１の雄ねじ山２３は、孔５に雌ねじ山を形成し、係合される。
【００４７】
このようにして、スクリュー２は、骨に対して術者の所望の角度で締結される。また、スクリュー２は、骨プレート１に対しても術者の所望の角度で締結される。スクリュー２は、骨の表面形状や骨の強度等を考慮した適切な角度で骨に対して締結され、骨プレート１は、骨及びスクリュー２に対して固定される。
【００４８】
以上、本発明の一実施形態について説明した。本実施形態の骨プレートシステムは、スクリューを骨に対して所望の角度で締結することができる。
【００４９】
例えば、骨プレート１の孔５は、その中心軸に対して傾斜した第１の領域５３及び第２の領域５４を有する。これにより、第１の領域５３及び第２の領域５４の傾斜角度の範囲内でスクリュー２を所望の角度で締結することができる。また、例えば、骨プレート１の孔５は、予め雌ねじ山が予め形成されていない。これにより、所望の角度をより簡単に決定することができる。
【００５０】
また、例えば、第１の領域５３は、骨プレート１の長手方向に沿って配置されており、第２の領域５４は、骨プレート２の幅方向に沿って配置されている。通常、骨プレート１は、その長手方向が骨の長手方向に対応するように骨に当てられる。従って、術者は、第１の領域５３又は第２の領域５４を用いることにより、スクリュー２の軸方向を骨の長手方向又は骨の幅方向に対応するように簡単に設定することができる。
【００５１】
上記の本発明の実施形態は、本発明の要旨と範囲を例示することを意図し、限定するものではない。例えば、骨プレート１、スクリュー２、及び治具９の寸法、形状等は、本発明の目的を達成できれば、図示した例に限られない。また、例えば、孔５〜７の配置、数、寸法、形状等は、本発明の目的を達成できれば、図示した例に限られない。また、例えば、スクリュー２の頭部２１と孔５〜７の内周面とが係合する領域及び範囲は、本発明の目的を達成できれば、図示した例に限られない。また、例えば、孔６の替わりに孔５を配置してもよい。また、例えば、孔７の替わりに孔５を配置してもよい。また、例えば、孔５及び孔７は、スクリュー２の傾斜を厳密に長手方向及び幅方向のみに制限するものではなく、他の方向への傾斜を許容する遊びを有していてもよい。また、孔６は、スクリュー２の軸方向を厳密に孔６の中心軸に一致するように制限するものではなく、他の方向への傾斜を許容する遊びを有していてもよい。
【００５２】
本発明は、本発明の要旨の範囲内で種々の変形実施が可能である。また、上述の実施形態および各変形例を適宜組み合わせることも可能である。
【００５３】
上述の実施形態では、骨プレート１の長手方向に対応する第１の角度（例示的に１５度）は、幅方向に対応する第２の角度（例示的に６度）よりも大きく設定されている。この構成の他の例として、例えば、第１の角度と第２の角度が等しくなるように下側内周面５２を形成してもよい。また例えば、第１の角度が第２の角度より小さくなるように下側内周面５２を形成してもよい。また例えば、４つの角度（１組の第１の領域５３、及び１組の第２の領域５４のそれぞれの角度）は、それぞれ自由に設定してもよい。また、全ての孔５を同じ構成とするのではなく、一部の孔５の構成を変更してもよい。孔７の第１の角度は、孔５の第１の角度又は第２の角度と等しく設定してもよいし、孔５の第１の角度及び第２の角度と異ならせてもよい。また、全ての孔７を同じ構成とするのではなく、一部の孔７の構成を変更してもよい。
【００５４】
上述の実施形態では、骨プレート１の長手方向及び幅方向にスクリュー２を傾斜できるように下側内周面５２を形成している。傾斜方向は、骨プレート１の長手方向及び幅方向に限られず、その他の方向（例えば、長手方向に４５度で交差する第１の方向、及び第１方向に直交する第２の方向）にスクリュー２を傾斜できるように下側内周面５２を形成してもよい。また、全ての孔５を同じ構成とするのではなく、一部の孔５の構成を変更してもよい。孔７についても、長手方向とは異なる他の方向にスクリュー２を傾斜できるように下側内周面７２を形成してもよい。また、全ての孔７を同じ構成とするのではなく、一部の孔７の構成を変更してもよい。
【００５５】
上述の実施形態では、骨プレート１の長手方向及び幅方向にスクリュー２を傾斜できるように孔５の下側内周面５２に計４つの傾斜領域（２つの第１の領域５３、２つの第２の領域５４）を形成している。傾斜領域は、１〜３つでもあってもよいし、５つ以上であってもよい。また、上述の実施形態では、骨プレート１の長手方向にスクリュー２を傾斜できるように孔７の下側内周面７２に計２つの傾斜領域（２つの第１の領域７３）を形成している。傾斜領域の数は、１つでもあってもよいし、３つ以上であってもよい。
【００５６】
本発明は、骨プレートシステム、骨プレート、骨プレート固定方法等の様々な態様によって提供することができる。本発明は、犬や猫などの小動物に限られず、人間等の様々な生物に用いることができる。
【符号の説明】
【００５７】
１…骨プレート、２（２ａ〜２ｈ）…スクリュー、３…中央部、４…端部、５（５ｄ、５ｅ、５ｆ）…孔、６…孔、７（７ａ、７ｈ）…孔、９…治具、２１…頭部、２２…軸部、２３…雄ねじ山、２４…雄ねじ山、５１…上側内周面、５２…下側内周面、５３…第１の領域、５４…第２の領域、５５…第３の領域、６１…上側内周面、６２…下側内周面、７１…上側内周面、７２…下側内周面、７３…第１の領域、７４…第２の領域、９１…ガイド孔、９２…先端部、９３…上側当接部、９４…下側当接部
【図１】
2017138073.tif 000003
【図２】
2017138073.tif 000004
【図３】
2017138073.tif 000005
【図４】
2017138073.tif 000006
【図５】
2017138073.tif 000007
【図６】
2017138073.tif 000008
【図７】
2017138073.tif 000009
【図８】
2017138073.tif 000010
【図９】
2017138073.tif 000011
【図１０】
2017138073.tif 000012
【図１１】
2017138073.tif 000013
【図１２】
2017138073.tif 000014
【図１３】
2017138073.tif 000015
【図１４】
2017138073.tif 000016
【図１５】
2017138073.tif 000017
【図１６】
2017138073.tif 000018
【図１７】
2017138073.tif 000019
【図１８】
2017138073.tif 000020
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
骨と反対側の上面と、
骨側の下面と、
前記上面と前記下面とを接続し、スクリューを挿入するための１つ以上の第１の孔とを有し、
前記第１の孔は、前記上面側の上側内周面と、前記下面側の下側内周面とを有し、前記上側内周面の内径は、前記下面に向かって狭まり、前記下側内周面の内径は、前記下面に向かって広がり、前記下側内周面は、前記第１の孔の中心軸に対して第１の角度で傾斜して向かい合う１つ以上の第１の領域と、前記中心軸に対して第２の角度で傾斜して向かい合う１つ以上の第２の領域とを含み、
前記スクリューは、雄ねじ山が形成された頭部及び軸部を有し、
前記下側内周面の雌ねじ山は、予め形成されておらず、前記スクリューが前記第１の孔に挿入された後、前記頭部の回転によって形成される
骨プレート。
【請求項２】
請求項１に記載の骨プレートであって、
前記下側内周面は、前記中心軸を挟んで向かい合う１組の前記第１の領域と、前記中心軸を挟んで向かい合う１組の前記第２の領域とを含む
骨プレート。
【請求項３】
請求項２に記載の骨プレートであって、
前記１組の第１の領域は、前記骨プレートの長手方向に沿って配置され、
前記１組の第２の領域は、前記長手方向と交差する方向に沿って配置される
骨プレート。
【請求項４】
請求項１〜３のいずれか一項に記載の骨プレートであって、
前記第１の角度は、前記第２の角度よりも大きい
骨プレート。
【請求項５】
請求項２に記載の骨プレートであって、
前記骨プレートの長手方向に間隔を空けて配置される複数の前記第１の孔を有し、
少なくとも１つの前記第１の孔は、前記１組の第１の領域が前記長手方向に沿って配置され、前記１組の第２の領域が、前記長手方向と交差する方向に沿って配置される
骨プレート。
【請求項６】
請求項１〜５のいずれか一項に記載の骨プレートであって、
前記上面と前記下面とを接続し、前記スクリューを挿入するための１つ以上の第２の孔を有し、
前記第２の孔は、前記上面側の上側内周面と、前記下面側の下側内周面とを有し、前記上側内周面の内径は、前記下面に向かって狭まり、前記下側内周面の所定方向の内径は、前記下面に向かって広がり、前記下側内周面は、前記第２の孔の中心軸に対して第１の角度で傾斜して向かい合う１つ以上の第１の領域と、前記中心軸に対して平行に向かい合う１つ以上の第２の領域とを含む
骨プレート。
【請求項７】
請求項１〜６のいずれか一項に記載の骨プレートとスクリューを有する
骨プレートシステム。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
骨と反対側の上面と、
骨側の下面と、
前記上面と前記下面とを接続し、スクリューを挿入するための１つ以上の第１の孔とを有し、
前記第１の孔は、前記上面側の上側内周面と、前記下面側の下側内周面とを有し、前記上側内周面の内径は、前記下面に向かって狭まり、前記下側内周面の内径は、前記下面に向かって広がり、前記下側内周面は、前記第１の孔の中心軸を挟んで向かい合い前記中心軸に対して第１の角度で傾斜した１組の第１の領域と、前記中心軸を挟んで向かい合い前記中心軸に対して第２の角度で傾斜した１組の第２の領域とを含み、
前記スクリューは、雄ねじ山が形成された頭部及び軸部を有し、
前記下側内周面の雌ねじ山は、予め形成されておらず、前記スクリューが前記第１の孔に挿入された後、前記頭部の回転によって形成される
骨プレート。
【請求項２】
請求項１に記載の骨プレートであって、
前記１組の第１の領域は、前記骨プレートの長手方向に沿って配置され、
前記１組の第２の領域は、前記長手方向と交差する方向に沿って配置される
骨プレート。
【請求項３】
請求項１又は２に記載の骨プレートであって、
前記第１の角度は、前記第２の角度よりも大きい
骨プレート。
【請求項４】
請求項１に記載の骨プレートであって、
前記骨プレートの長手方向に間隔を空けて配置される複数の前記第１の孔を有し、
少なくとも１つの前記第１の孔は、前記１組の第１の領域が前記長手方向に沿って配置され、前記１組の第２の領域が前記長手方向と交差する方向に沿って配置される
骨プレート。
【請求項５】
請求項１〜４のいずれか一項に記載の骨プレートであって、
前記上面と前記下面とを接続し、前記スクリューを挿入するための１つ以上の第２の孔を有し、
前記第２の孔は、前記上面側の上側内周面と、前記下面側の下側内周面とを有し、前記上側内周面の内径は、前記下面に向かって狭まり、前記下側内周面の所定方向の内径は、前記下面に向かって広がり、前記下側内周面は、前記第２の孔の中心軸に対して第１の角度で傾斜して向かい合う１つ以上の第１の領域と、前記中心軸に対して平行に向かい合う１つ以上の第２の領域とを含む
骨プレート。
【請求項６】
請求項１〜５のいずれか一項に記載の骨プレートとスクリューを有する
骨プレートシステム。
【国際調査報告】
2017138073.tif 000021
2017138073.tif 000022
2017138073.tif 000023
2017138073.tif 000024